(57)【要約】【課題】  コストアップを抑えたまま、記録媒体を引き抜く手間が削減されたプリンタを提供する。【解決手段】  付勢部４３ｃが設けられた保持部材４３で排出ローラ４２を固定するとともに排出ローラ４１を付勢部４３ｃで排出ローラ４２側に付勢しておき、搬送ローラにより搬送されてきたインスタント写真シート１００１からの駆動力を受けて回転する排出ローラ４１，４２でインスタント写真シート１００１をプリンタ１の外部に排出する。【選択図】  図６
2007021967.tif 000002
【特許請求の範囲】
【請求項１】
画像が記録される記録媒体を搬送しながら該記録媒体に画像を書き込むことにより該記録媒体上に画像を記録するプリンタにおいて、
電力供給を受けて駆動力を発生する駆動源と、
前記駆動源からの駆動力を受けて回転し前記記録媒体を搬送する搬送ローラと、
前記搬送ローラよりも搬送方向下流側に位置し搬送されてきた記録媒体から駆動力を受け該記録媒体を挟んで回転する排出ローラとを備えたことを特徴とするプリンタ。
【請求項２】
前記記録媒体が露光により潜像が形成され現像により顕像化される画像が記録されるインスタント写真シートであって、
前記排出ローラよりも搬送方向上流側に外光の進入を阻止する遮光部を有することを特徴とする請求項１記載のプリンタ。
【請求項３】
前記搬送ローラと前記排出ローラとの間に、搬送されてきたインスタント写真シートを挟んで該インスタント写真シート上に現像液を展開する展開ローラを備えたことを特徴とする請求項２記載のプリンタ。
【発明の詳細な説明】
【技術分野】
【０００１】
本発明は、画像が記録される記録媒体を搬送しながらその記録媒体に画像を書き込むことによりその記録媒体上に画像を記録するプリンタに関する。
【背景技術】
【０００２】
従来より、インスタント写真シート上に画像を記録するプリンタが知られている。このプリンタには、インスタント写真シートが複数枚重ねられて収容されたインスタントフイルムパックが装填されるパック室が備えられている。また、このプリンタには、パック室に装填されたインスタント写真シートのうちの１枚分のインスタント写真シート搬送方向後端に係止し、そのインスタント写真シートを搬送方向に掻き上げるクロー（爪）や、そのクローの掻き上げを行なうためのカム等の機構部も備えられている。
【０００３】
インスタント写真シート上に画像を記録するには、上記カムの回転等によりパック室内のインスタント写真シートのうちの、１枚目のインスタント写真シートの後端をクローで掻き上げて搬送ローラで搬送し、そのインスタント写真シートに発光素子からの光を照射して潜像を書き込み、さらにそのインスタント写真シートが有する処理液溜りを展開ローラで押し潰して処理液を展開することにより行なう。このようなプリンタは、インスタントカメラに好適に組み込まれる（例えば、特許文献１参照）。ここで、インスタントカメラから、画像が記録されたインスタント写真シートを排出するにあたり、そのインスタント写真シートが不用意に脱落しないように、そのインスタント写真シートの後端部がカメラ本体に保持される。ユーザは、そのインスタント写真シートを手で引き抜いてから、次の写真撮影を行なう。しかし、インスタント写真シートが連続して排出される場合、ユーザはインスタント写真シートを一枚一枚手で引き抜くという作業が必要とされる。
【０００４】
そこで、インスタント写真シートをカメラ本体から完全に離脱せしめる取出装置が提案されている（例えば、特許文献２参照）。
【特許文献１】特開平０７−２０９７１９号公報
【特許文献２】特開平０７−２８７３０２号公報
【発明の開示】
【発明が解決しようとする課題】
【０００５】
しかし、上述した特許文献２に提案された取出装置は、カメラ本体から記録媒体であるインスタント写真シートの一部分が排出されたことを検出するスイッチと、そのスイッチによる検出を受けて駆動するモータと、そのモータからの駆動力を受けて回転する抜出ローラとが必要とされる。このため、装置の構成が複雑でコストアップするという問題がある。
【０００６】
本発明は、上記事情に鑑み、コストアップを抑えたまま、記録媒体を引き抜く手間が削減されたプリンタを提供することを目的とする。
【課題を解決するための手段】
【０００７】
上記目的を達成する本発明のプリンタは、画像が記録される記録媒体を搬送しながらその記録媒体に画像を書き込むことによりその記録媒体上に画像を記録するプリンタにおいて、
電力供給を受けて駆動力を発生する駆動源と、
上記駆動源からの駆動力を受けて回転し上記記録媒体を搬送する搬送ローラと、
上記搬送ローラよりも搬送方向下流側に位置し搬送されてきた記録媒体から駆動力を受けその記録媒体を挟んで回転する排出ローラとを備えたことを特徴とする。
【０００８】
本発明のプリンタは、搬送ローラにより搬送されてきた記録媒体からの駆動力を受けて回転する排出ローラで記録媒体をプリンタの外部に排出する構成である。このため、記録媒体をプリンタの外部に排出するにあたり、従来の、記録媒体の一部分が排出されたことを検出するスイッチやそのスイッチによる検出を受けて駆動することにより排出ローラを回転させるモータを備えた技術と比較し、構成が簡素化される。従って、コストアップを抑えたまま記録媒体を引き抜く手間が削減される。
【０００９】
ここで、上記記録媒体が露光により潜像が形成され現像により顕像化される画像が記録されるインスタント写真シートであって、
上記排出ローラよりも搬送方向上流側に外光の進入を阻止する遮光部を有することが好ましい。
【００１０】
このようにすると、既存のプリンタの外部に排出ローラを設ければ済む。このため、既存のプリンタをあまり改造する必要はなく、従って既存のプリンタに本発明を簡単に適用することができる。
【００１１】
また、上記搬送ローラと上記排出ローラとの間に、搬送されてきたインスタント写真シートを挟んでそのインスタント写真シート上に現像液を展開する展開ローラを備えたものであることも好ましい態様である。
【００１２】
このように、搬送ローラと排出ローラとの間に展開ローラを備えると、コンパクトなプリンタを実現することができる。
【発明の効果】
【００１３】
本発明によれば、コストアップを抑えたまま、記録媒体を引き抜く手間が削減されたプリンタを提供することができる。
【発明を実施するための最良の形態】
【００１４】
以下、本発明の実施形態について説明する。
【００１５】
図１は、本発明の一実施形態のプリンタを、斜め前方から見た斜視図である。
【００１６】
このプリンタ１は、携帯電話などと組み合わされて使用されるものであって、露光により潜像が形成され送り出しの際に処理液が展開されて顕像化されるインスタント写真シートが複数枚（ここでは１０枚として説明する）積層されたインスタントフイルムパックがパック室に装填され、そのインスタント写真シートを画像データに応じて露光して外部に送り出しながらそのインスタント写真シートに処理液を展開するものである。このインスタント写真シートが本発明にいう記録媒体の一例に相当する。
【００１７】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたは電子メールなどで携帯電話に送信されてきた画像データが赤外線通信を用いてこのプリンタ１に送信されてきたときに、その画像データに基づいてインスタント写真シート上に画像の記録を行なうものであり、さらにその送信された画像データに基づく画像の再記録を、携帯電話から再送信をわざわざ行なわなくても、後述するリピートスイッチを操作するという簡単な操作で別のインスタント写真シート上に行なえるものである。
【００１８】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタント写真シート一枚一枚に画像の記録が行なわれる。
【００１９】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフイルムシートの残り枚数を示すカウンタ１３が設けられている。このカウンタ１３は機械式のカウンタであり、未使用のインスタントフイルムパックが装填されると残り枚数が１０枚であることを示す数値‘１０’が表示される。以下、インスタント写真シートに画像の記録が行なわれる度に枚数が減算された残り枚数を示す数値が表示され、１０枚目のインスタント写真シートに画像の記録が行なわれると残り枚数が０枚であることを示す数値‘０’が表示される。尚、インスタントフイルムパックが抜かれた場合は、何も表示されないブランク状態となる。
【００２０】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２１】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２２】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２３】
図２は、図１に示すプリンタにおいて、カメラ付き携帯電話からの画像データに基づいて画像が記録されたインスタント写真シートが排出される様子を示す図である。
【００２４】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタント写真シート１００１上に行ないながら、そのインスタント写真シート１００１を顕像しつつ、プリンタ１の送出口１９から外部へ徐々に排出する。その後、リピートＳＷ１２が操作されたときにも、その画像と同じ画像の再記録が別のインスタント写真シート上に行なわれる。
【００２５】
図３は、図１に示すプリンタの下面側を斜め上方から見た斜視図である。
【００２６】
このプリンタ１の下面側には、図２に示すフイルムドア開放スイッチ１８の操作により開放されるフイルムドア２０が設けられており、このフイルムドア２０が開けられ、インスタントフイルムパックがパック室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００２７】
図４は、図３に示すプリンタの、フイルムドアが開けられた状態の斜視図である。
【００２８】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタント写真シートがプリンタ１の上面側に押圧される。
【００２９】
また、プリンタ１には、インスタントフイルムパックを装填するためのパック室２２が設けられている。パック室２２外の、図４における右側には、搬送するインスタント写真シートに画像を書き込む画像書込部３００および媒体搬送展開部３０が設けられている。これら画像書込部３００および媒体搬送展開部３０の詳細については後述する。また、パック室２２内の、図４における下方には、インスタント写真シートを画像書込部３００および媒体搬送展開部３０側に送り出させるためのクロー（爪）２４が設けられている。このような構成によって、インスタントフイルムパック内のインスタント写真シートのうちの、プリンタ１の一番上面側にあるインスタント写真シートがクロー２４で掻き上げられて媒体搬送展開部３０で搬送されながら画像書込部３００で画像が書き込まれて現像される。
【００３０】
図５は、本実施形態のプリンタを表面側から見た場合の、筐体が取り外された状態の斜視図である。
【００３１】
図５には、電力供給を受けて駆動力を発生する直流モータ４０６（本発明にいう駆動源の一例に相当する）、および、その直流モータ４０６からの回転駆動力を後述する搬送ローラおよび展開ローラに伝達する、媒体搬送展開部３０を構成するギア列３９が示されている。また、この図５には、インスタント写真シート１００１を挟持した一対の排出ローラ４１，４２と、それら排出ローラ４１，４２を保持する保持部材４３と、遮光部４４とが示されている。遮光部４４は、排出ローラ４１，４２の搬送方向上流側に設けられており、外光の進入を阻止する役割を担っている。さらに、図５には、後述するメイン基板部１００と画像書込部３００も示されている。
【００３２】
図６は、図５に示すインスタント写真シートを挟持した排出ローラを拡大して示す図、図７は、インスタント写真シートが排出された後の排出ローラを拡大して示す図である。
【００３３】
図６，図７に示す一対の排出ローラ４１，４２の、インスタント写真シート１００１の両側部に接触する端部４１ａ，４２ａは、高摩擦部材であるゴムで構成されている。また、一対の排出ローラ４１，４２は、ギア４５，４６で連結されている。これらギア４５，４６の周速比は１対１である。さらに、図６に示すように、保持部材４３には、排出ローラ４１の先端部が軸支された部分を取り囲むように形成された円弧上の空隙部４３ａと、その円弧状の空隙部４３ａの始点および終点から互いに平行に伸びるように形成された２つの空隙部４３ｂが設けられている。また、この保持部材４３には、それら空隙部４３ｂどうしの間に位置して付勢部材の役割を担う付勢部４３ｃが設けられている。ここで、一対の排出ローラ４１，４２のうちの一方の排出ローラ４２は固定されており、他方の排出ローラ４１は上記付勢部４３ｃにより排出ローラ４２側に付勢された状態にあり、インスタント写真シート１００１が突入すると、矢印Ａで示す部分を中心にして矢印Ｂ方向に回動する。
【００３４】
図８は、図５に示すプリンタの、排出ローラを含む断面図である。
【００３５】
媒体搬送展開部３０には、インスタント写真シート１００１の両側部を挟んでそのインスタント写真シート１００１を搬送する一対の搬送ローラ３１，３２が備えられている。搬送ローラ３２は、バネ部材３５＿１で搬送ローラ３１側に付勢されている。
【００３６】
また、媒体搬送展開部３０には、上記一対の搬送ローラ３１，３２よりもインスタント写真シート１００１の搬送方向下流側に配備され、そのインスタント写真シート１００１を全幅に亘って挟んで処理液溜り１００１ａを押し潰して処理液を展開する一対の展開ローラ３３，３４が備えられている。展開ローラ３４は、バネ部材３５＿２で展開ローラ３３側に付勢されている。
【００３７】
さらに、媒体搬送展開部３０には、搬送ローラ３１,３２と展開ローラ３３,３４との間に位置して展開中の処理液を制御するための制御板３６,３７と、インスタント写真シート１００１を案内するためのフイルム案内フレーム３８が備えられている。また、インスタントフイルムパック２５の出口近傍には、画像書込部３００が設けられている。
【００３８】
また、媒体搬送展開部３０の下流側には、前述した一対の排出ローラ４１，４２が備えられており、排出ローラ４１は付勢部４３ｃで排出ローラ４２側に付勢されている。一対の排出ローラ４１，４２の隙間ｔは、インスタント写真シート１００１一枚分の厚みより大きく、且つ二枚分の厚みよりも小さく設定されている。ここで、付勢部４３ｃは、２枚目のインスタント写真シート１００１が一対の排出ローラ４１，４２に突入した際に、１枚目のインスタント写真シート１００１との間にインスタント写真シート１００１の自重以上の摩擦力が生じるように設定されている。尚、前述した保持部材４３は、媒体搬送展開部３０によって搬送されたインスタント写真シート１００１先端の軌跡上に、上記隙間ｔが確保されるように、これら排出ローラ４１，４２を保持する。
【００３９】
本実施形態のプリンタ１は、インスタントフイルムパック２５内のインスタント写真シート１００１のうちの、プリンタ１の一番上面側にあるインスタント写真シート１００１を、所定の搬送開始点Ｐｓからクロー２４（図４参照）で掻き上げて、搬送ローラ３１，３２で搬送しながら画像書込部３００で固定書込点Ｐｆにて画像を書き込み始める。さらに、このプリンタ１は、インスタント写真シート１００１に画像を書き込みながら搬送ローラ３１，３２でインスタント写真シート１００１を搬送し、展開ローラ３３，３４で処理液溜り１００１ａを押し潰して処理液を展開し、展開中の処理液を制御板３６,３７で制御して現像を行なって所定の搬送終了点Ｐｅまで搬送する。さらに、このプリンタ１は、搬送ローラ３１，３２により搬送されてきたインスタント写真シート１００１からの駆動力を受けて回転する排出ローラ４１，４２でインスタント写真シート１００１をプリンタ１の外部に排出する。このため、リピートＳＷ１２（図１参照）を操作してインスタント写真シート１００１をプリンタ１の外部に連続して排出するにあたり、従来の、インスタント写真シートの一部分が排出されたことを検出するスイッチやそのスイッチによる検出を受けて駆動することにより排出ローラを回転させるモータを備えた技術と比較し、構成が簡素化される。従って、コストアップを抑えたままインスタント写真シート１００１を引き抜く手間が削減される。また、排出ローラ４１を付勢する付勢部４３ｃは保持部材４３に一体的に形成されているため、さらなるコストの削減が図られている。
【００４０】
図９は、本実施形態のプリンタに使用するインスタント写真シートの露光面を示す斜視図、図１０は、図９に示すインスタント写真シートの観察面を示す斜視図である。
【００４１】
図９には、インスタント写真シート１００１の露光面１００１＿１が示されている。この露光面１００１＿１には、インスタント写真シート１００１の搬送方向先端部に配備された処理液溜り１００１ａと、画像が露光される露光部１００１ｂと、余白部１００１ｃと、余った処理液を吸収するトラップ部１００１ｄとが設けられている。また、図１０には、インスタント写真シート１００１の観察面１００１＿２側が示されている。この観察面１００１＿２には、露光により潜像が形成され処理液の展開を受けて顕像化された画像を観察するための観察部１００１ｅと、余白部１００１ｆが設けられている。
【００４２】
図１１は、プリンタ内部の制御系統を示す構成ブロック図である。
【００４３】
図１１の右端側には、図１に示すプリンタ１の模式図が示されており、この右端部を除く全域に、このプリンタ１の制御系統を示す構成が示されている。尚、図１１に示す矢印は、このプリンタ１における、制御系統を示す構成要素それぞれの配置関係を示す。
【００４４】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、直流モータ４０６とが備えられている。
【００４５】
サブ基板部２００には、図１にも示す電源ＳＷ１１，リピートＳＷ１２、および表示用ＬＥＤ部２０１が備えられている。表示用ＬＥＤ部２０１には、電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００４６】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタント写真シートに、書込指示パルスに同期して送受信部１４により受信した画像データに基づいて、ＬＥＤ３０４,３０５,３０６からのＲ，Ｇ，Ｂの３つの色光を循環的に照射することにより、そのインスタント写真シートに潜像を書き込む。また、プリンタ１には、３Ｖ用の一次電池４０７が２個内蔵される。
【００４７】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００４８】
ＭＰＵ１０１は、このプリンタ１の動作を統括的に制御する。
【００４９】
発振子１０２は、所定の周波数の発振信号を生成してＭＰＵ１０１に動作用のクロック信号として供給する。
【００５０】
リセット回路１０３は、ＭＰＵ１０１の初期化を行なうためのリセット信号を出力する。
【００５１】
フラッシュメモリ１０４は、不揮発性のメモリであり、このフラッシュメモリ１０４には、プリンタ１固有の機構等に依存して定まる固体差調整用の調整値等が記憶される。
【００５２】
ＳＤＲＡＭ１０５は、揮発性のメモリであり、このＳＤＲＡＭ１０５には、カメラ付き携帯電話２からの画像データ等が記憶される。
【００５３】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００５４】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタント写真シートに画像を記録し、速やかに通常の動作モードからスタンバイモードに移行する。また、リピートＳＷ１２が押された場合もインスタント写真シートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００５５】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００５６】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００５７】
ＴＰＧ部１１１は、ＤＣ／ＤＣコンバータ１０８から出力される１５Ｖの電圧をオン，オフする。
【００５８】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００５９】
発振子１１３は、所定の周波数の発振信号を生成してＩｒＤＡ／ＬＣＳ制御部１１４に供給する。
【００６０】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００６１】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００６２】
本実施形態のプリンタ１は、インスタント写真シート１００１を直流モータ４０６で所定の副走査方向（インスタント写真シート１００１が送り出される方向）に送りながら、そのインスタント写真シート１００１上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタント写真シート１００１上にカラー画像を記録する。
【００６３】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタント写真シート上に照射され、インスタント写真シートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタント写真シートシート上に記録される。この光学ヘッド部３０１の電子走査によってインスタント写真シートの主走査方向に多数のドットからなる光点が記録される。また、上述したように、本実施形態では、直流モータ４０６によりインスタント写真シートシート１００１が副走査方向に送られている。従って、副走査方向についても画像書込部３００によって多数のドット毎に光点が順次記録されていくこととなる。
【００６４】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００６５】
ＦＰＩ部４０１は、インスタント写真シート１００１の有無を検出するためのフォトインタラプタである。
【００６６】
ＥＮＣＰＩ部４０２は、直流モータ４０６の回転に同期したパルス列からなるエンコード信号を出力するためのフォトインタラプタである。
【００６７】
ＣＯＵＮＴＰＩ部４０３は、カウンタ１３がリセット状態（インスタントフイルムパックが抜かれた状態）を検知するためのフォトインタラプタである。
【００６８】
また、メイン基板部１００には、カムスイッチ４０４が接続されている。このカムスイッチ４０４は、このプリンタ１の搬送機構における初期位置をモニタするためのスイッチである。
【００６９】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００７０】
尚、本実施形態では、記録媒体としてインスタント写真シートの例で説明したが、これに限られるものではなく、本発明にいう記録媒体は、画像が記録される記録媒体であればよい。
【図面の簡単な説明】
【００７１】
【図１】本発明の一実施形態のプリンタを、斜め前方から見た斜視図である。
【図２】図１に示すプリンタにおいて、カメラ付き携帯電話からの画像データに基づいて画像が記録されたインスタント写真シートが排出される様子を示す図である。
【図３】図１に示すプリンタの下面側を斜め上方から見た斜視図である。
【図４】図３に示すプリンタの、フイルムドアが開けられた状態の斜視図である。
【図５】本実施形態のプリンタを表面側から見た場合の、筐体が取り外された状態の斜視図である。
【図６】図５に示すインスタント写真シートを挟持した排出ローラを拡大して示す図である。
【図７】インスタント写真シートが排出された後の排出ローラを拡大して示す図である。
【図８】図５に示すプリンタの、排出ローラを含む断面図である。
【図９】本実施形態のプリンタに使用するインスタント写真シートの露光面を示す斜視図である。
【図１０】図９に示すインスタント写真シートの観察面を示す斜視図である。
【図１１】プリンタ内部の制御系統を示す構成ブロック図である。
【符号の説明】
【００７２】
１  プリンタ
１ａ  筐体
１ｂ  ストラップ取付部
２  カメラ付き携帯電話
１１  電源スイッチ（電源ＳＷ）
１２  リピートスイッチ（リピートＳＷ）
１３  カウンタ
１４  送受信部
１５  電源用ＬＥＤ
１６  通信エラー用ＬＥＤ
１７  ローバッテリ表示用のＬＥＤ
１８  フイルムドア開放スイッチ
１９  送出口
２０  フイルムドア
２０ａ  パック在否確認窓
２０ｂ,２０ｃ，３５＿１，３５＿２  バネ部材
２１  電池蓋
２２  パック室
２４  爪（クロー）
２５  インスタントフイルムパック
３０  媒体搬送展開部
３１,３２  搬送ローラ
３３,３４  展開ローラ
３６，３７  制御板
３８  フイルム案内フレーム
３９  ギア列
４１，４２  排出ローラ
４１ａ，４２ａ  端部
４３  保持部材
４３ａ，４３ｂ  空隙部
４３ｃ  付勢部
４４  遮光部
４５，４６  ギア
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタント写真シート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2007021967.tif 000003
【図２】
2007021967.tif 000004
【図３】
2007021967.tif 000005
【図４】
2007021967.tif 000006
【図５】
2007021967.tif 000007
【図６】
2007021967.tif 000008
【図７】
2007021967.tif 000009
【図８】
2007021967.tif 000010
【図９】
2007021967.tif 000011
【図１０】
2007021967.tif 000012
【図１１】
2007021967.tif 000013